(57)【要約】【課題】装置内で、自分が出したプロフィール情報の開示レベルに合わせ、相手からのプロフィール情報を変換することで、公平なプロフィール交換を実現する。センターを介さず、かつ事前ネゴなしで、公平なプロフィール交換を実現すること。【解決手段】プロフィール保存部と暗号部、送信部を用いて、自身のプロフィールを暗号化して送信。一方、受信部、復号部を用いて相手のプロフィールを復号。比較部において両者のプロフィールの開示レベルを比較し、この情報を用いて相手のプロフィールを変換する。【選択図】図２
2007293747.tif 000002
【特許請求の範囲】
【請求項１】
プロフィールを送受信するプロフィール処理装置であって、
第１のプロフィールを蓄積するプロフィール保存部と、
第１のプロフィールを送信する送信部と、
第２のプロフィールを受信する受信部と、
前記第１のプロフィールと第２のプロフィールを比較して比較結果を出力する比較部と、
前記比較結果を用いて、前記第２のプロフィールを変換する変換部と、
を備える、プロフィール処理装置。
【請求項２】
前記比較部は、前記第１のプロフィールと第２のプロフィールの開示レベルを比較して、低い方の開示レベルを比較結果として出力することを特徴とする請求項１記載のプロフィール処理装置。
【請求項３】
前記変換部は、前記比較結果を用いて、前記第２のプロフィールから一部の情報を削除することを特徴とする請求項１記載のプロフィール処理装置。
【請求項４】
前記変換部は、前記比較結果を用いて、前記第２のプロフィールの一部情報を別の情報に置き換えることを特徴とする請求項１記載のプロフィール処理装置。
【請求項５】
前記プロフィールは１以上の個別プロフィールを含み、
前記個別プロフィールは、プロフィール内容の詳細度合を示す詳細度合識別子と個別プロフィールデータを含む開示レベルに合わせて階層化して管理されており、
前記比較部は、前記第１のプロフィールと第２のプロフィールの共通の個別プロフィールデータに対応した詳細度合を決定し、
前記変換部は、前記第２のプロフィールのうち、前記比較結果の詳細度合に対応して、個別プロフィールを部分的に削除して出力することを特徴とする請求項１記載のプロフィール処理装置。
【請求項６】
プロフィールを送受信するプロフィール処理装置であって、
第１のプロフィールを蓄積するプロフィール保存部と、
第１のプロフィールを暗号化する暗号部と、
暗号化された第１のプロフィールを送信する送信部と、
暗号化された第２のプロフィールを受信する受信部と、
第２のプロフィールを復号する復号部と、
前記第１のプロフィールと第２のプロフィールを比較して比較結果を出力する比較部と、
前記比較結果を用いて、前記第２のプロフィールを変換する変換部と、
を備える、プロフィール処理装置。
【請求項７】
第１の装置と第２の装置間でプロフィールを送受信するプロフィール処理システムであって、
前記第１の装置は、
第１のプロフィールを蓄積するプロフィール保存部と、
第１のプロフィールを暗号化する暗号部と、
暗号化された第１のプロフィールを送信する送信部と、
暗号化された第２のプロフィールを受信する受信部と、
第２のプロフィールを復号する復号部と、
前記第１のプロフィールと第２のプロフィールを比較して比較結果を出力する比較部と、
前記比較結果を用いて、前記第２のプロフィールを変換する変換部とを備え、
前記第２の装置は、
第２のプロフィールを蓄積するプロフィール保存部と、
第２のプロフィールを暗号化する暗号部と、
暗号化された第２のプロフィールを送信する送信部と、
暗号化された第１のプロフィールを受信する受信部と、
第１のプロフィールを復号する復号部と、
前記第１のプロフィールと第２のプロフィールを比較して比較結果を出力する比較部と、
前記比較結果を用いて、前記第１のプロフィールを変換する変換部と、
を備える、プロフィール処理システム。
【請求項８】
プロフィールを送受信するプロフィール処理方法であって、
第１のプロフィールを送信する送信ステップと、
第２のプロフィールを受信する受信ステップと、
前記第１のプロフィールと第２のプロフィールを比較して比較結果を出力する比較ステップと、
前記比較結果を用いて、前記受信した第２のプロフィールを変換する変換ステップと、
を含むことを特徴とするプロフィール処理方法。
【請求項９】
プロフィールを送受信するプロフィール処理装置を実行するプログラムであって、
第１のプロフィールを送信する送信ステップと、
第２のプロフィールを受信する受信ステップと、
前記第１のプロフィールと第２のプロフィールを比較して比較結果を出力する比較ステップと、
前記比較結果を用いて、前記第２のプロフィールを変換する変換ステップと、
を含むことを特徴とするプロフィール処理プログラム。
【請求項１０】
請求項９に記載のプログラムを記録した媒体。
【請求項１１】
プロフィールを送受信するプロフィール処理装置の集積回路であって、
第１のプロフィールを蓄積するプロフィール保存部と、
第１のプロフィールを送信する送信部と、
第２のプロフィールを受信する受信部と、
前記第１のプロフィールと第２のプロフィールを比較して比較結果を出力する比較部と、
前記比較結果を用いて、前記第２のプロフィールを変換する変換部と、
を備えることを特徴とするプロフィール処理装置の集積回路。
【発明の詳細な説明】
【技術分野】
【０００１】
本発明はセンターを介さないプロフィール交換（名刺交換）において、そのプロフィールの開示レベルを公平にするものである。
【背景技術】
【０００２】
従来のプロフィール交換としては、センターが全員のプロフィールを管理するものがあった（例えば、特許文献１参照）。各人のプロフィール情報に、公開を許可する範囲を指定する付加情報が付加される。そして、端末からそれをアクセスする際に、付加情報に基づいて、センターが指定範囲のプロフィール情報を出力する。
【特許文献１】特開２００４−３２６６６３号公報
【発明の開示】
【発明が解決しようとする課題】
【０００３】
しかしながら、前記従来の構成では、センターがプロフィールを管理するため、個々のプライバシーの問題がある。例えば、特定の趣味を、同じ趣味の人には伝えたいが、それをセンターに登録するのは困るといった場合がある。そういった機微な情報は自分で管理したいと考えるものである。
【０００４】
一方、センターを介さずに直接プロフィールを交換する場合には、プロフィールの開示レベルが異なると、不公平感が生じる。例えば自分からは携帯電話の番号を教えたのに、相手からもらえなかった場合には、不公平感を感じる。そのために、事前に開示レベルを決めてからプロフィール交換する方法もあるが、面倒でかつ、初対面でのプロフィール交換という場面で機械的な手順を決めるのはそぐわない。
【０００５】
本発明は、前記従来の課題を解決するもので、センターを介さず、かつ事前の開示レベル調整をせずとも、不公平感のないプロフィール交換を可能としたプロフィール処理装置を提供することを目的とする。
【課題を解決するための手段】
【０００６】
前記従来の課題を解決するために、本発明はプロフィールを送受信するプロフィール処理装置であって、第１のプロフィールを蓄積するプロフィール保存部と、第１のプロフィールを送信する送信部と、第２のプロフィールを受信する受信部と、前記第１のプロフィールと第２のプロフィールを比較して比較結果を出力する比較部と、前記比較結果を用いて、前記第２のプロフィールを変換する変換部とを備える。
【０００７】
本構成によって、端末内で開示レベルを合わせ、受け取った相手のプロフィール情報を変換することで、不公平感のないプロフィール交換ができる。
【発明の効果】
【０００８】
本発明のプロフィール処理装置によれば、各装置の中で、自分と他者のプロフィールの開示レベルを合わせ、相手のプロフィールを変換して表示するため、センターを介さず、かつ事前の開示レベル調整をせずとも、不公平感のないプロフィール交換が可能となる。
【発明を実施するための最良の形態】
【０００９】
以下本発明の実施の形態について、図面を参照しながら説明する。
【００１０】
（実施の形態１）
（システム）
図１は、本発明の実施の形態１におけるプロフィール処理システムの図である。
【００１１】
図１において、１００は第１のプロフィール処理装置、２００は第２のプロフィール処理装置であり、この間は通信路３００で接続されている。通信路３００はインターネットであっても良いし、近距離のアドホックネットワーク（ＰＡＮ：Ｐｅｒｓｏｎａｌ  Ａｒｅａ  Ｎｅｔｗｏｒｋ）であっても良い。この２台のプロフィール処理装置間で互いのプロフィールを交換すると想定する。
【００１２】
（装置構成）
図２は、プロフィール処理装置１００の構成を示す図である。プロフィール処理装置２００も、プロフィール処理装置１００が第１のプロフィールを保存しているのに替えて、第２のプロフィールを保存している以外は、同様の構成であるため、ここではプロフィール処理装置２００の構成についての説明は省略する。
【００１３】
図２において、１０１はプロフィールを保存するプロフィール保存部、１０２は第１のプロフィールを暗号化する暗号部、１０３は暗号化したプロフィールを通信路３００を介して第２のプロフィール処理装置２００に送信する送信部である。また、１０４は第２のプロフィール処理装置２００から暗号化された第２のプロフィールを受信する受信部、１０５は暗号化された第２のプロフィールを復号して第２のプロフィールを出力する復号部、１０６は前記第１のプロフィールと第２のプロフィールの開示レベルを比較する比較部、１０７は比較結果を用いて、第２のプロフィールを変換する変換部であり、その変換結果を図示しない表示部、あるいは記録部に出力する。
【００１４】
（１）プロフィール保存部１０１
プロフィール保存部は、プロフィール処理装置１００の持ち主のプロフィールを保存する。プロフィールの入力手段や管理方法についてはここでは特に問わないが、一例として、図３にあるような階層を用いて趣味に関するプロフィールを設定する方法が考えられる。
【００１５】
図３において１層目はプロフィールの大項目であり、例えば名前や住所、趣味といった項目を示す。ここで趣味の項目（識別子：Ｘ）を選び、２層目では、例えばスポーツ観戦（識別子：Ｘ−１）や映画（識別子：Ｘ−２）といった趣味の種類を選択する。ここで、スポーツ観戦を選択して、次に３層目で野球（識別子：Ｘ−１−１）やサッカー（識別子：Ｘ−１−２）といったスポーツの種類について選択する。さらに４層目ではどこのチーム、５層目で誰のファンであるかを選択する。いくつかの選択肢の中からクリックして選択するようなユーザインタフェースを備えると、ユーザ設定が容易である。
【００１６】
以降では、次の３人のユーザを考え、プロフィール交換する場合を考える。
【００１７】
Ａさん：野球観戦が趣味でタイガースのファン  （識別子：Ｘ−１−１−１）
Ｂさん：野球観戦が趣味でロッテのファン  （識別子：Ｘ−１−１−２）
Ｃさん：サッカー観戦が趣味でガンバ、宮本選手のファン  （識別子：Ｘ−１−２−１−１）
ここでは、プロフィール処理装置１００はＢさんの装置とし、ＡさんやＣさんとプロフィール交換するものとする。
【００１８】
（２）暗号部１０２、送信部１０３
暗号部１０２および送信部１０３は、第１のプロフィール（Ｂのプロフィール）を暗号化してプロフィール処理装置２００に送信する。通信路３００上を盗聴しても、第１のプロフィールの秘匿性は確保される。
【００１９】
（３）受信部１０４、復号部１０５
受信部１０４および復号部１０５は、プロフィール処理装置２００から暗号化された第２のプロフィール（Ａのプロフィール、またはＣのプロフィール）を受信して、これを復号する。
【００２０】
（４）比較部１０６
比較部１０６では、第１のプロフィールと第２のプロフィールの共通部分の開示レベルを出力する。開示レベルは、例えば図３における階層に対応する。プロフィール処理装置１００の持ち主であるＢがＡとプロフィールを交換する場合には、その共通部分である(Ｘ−１−１)の階層である「３」が、比較部の出力となる。
【００２１】
（５）変換部１０７
変換部１０７では、比較部１０６からの出力を用いて、第２のプロフィールを変換する。変換の一例としては、比較部１０６からの出力に１をプラスして、それより下の階層のプロフィール情報を削除する。ＢがＡとプロフィールを交換する場合には、Ａのプロフィール５階層目以下を削除する。実際Ａのプロフィールは５階層目以下はもともと存在しないため、Ａのプロフィールはそのままの状態で、変換部１０７から出力され、表示部、あるいは記録部に出力される。
【００２２】
（プロフィール処理装置の動作）
プロフィール処理装置１００の動作について、図４、図５ならびに図６、図７を用いて説明する。ここではプロフィール処理装置は、上記Ｂさんの装置とする。そして、図４、図５では同様の構成のＡさんのプロフィール処理装置２００とプロフィールを交換するときの動作を示す。また、図６、図７ではＣさんのプロフィール処理装置４００とプロフィール交換するときの動作を示す。なお、プロフィール処理装置４００の構成もプロフィール処理装置１００と同様の構成であるものとする。
【００２３】
まず、図４では、Ｂからは暗号化したプロフィール（識別子Ｘ−１−１−２）を、Ａからは暗号化したプロフィール（識別子Ｘ−１−１−１）が送信される。図５では、この交換を行う際のＢのプロフィール処理装置１００の動作を説明している。
【００２４】
１．暗号部１０２はプロフィール保存部１０１に保存されているＢのプロフィールを暗号化する（ステップＳ１１１）。
【００２５】
２．送信部１０３は、上記暗号化されたＢのプロフィールをプロフィール処理装置２００に送信する（ステップＳ１１２）。
【００２６】
３．受信部１０４は、プロフィール処理装置２００から暗号化されたＡのプロフィールを受信する（ステップＳ１１３）。
【００２７】
４．復号部１０５は、受信したＡのプロフィールを復号する（ステップＳ１１４）。
【００２８】
５．比較部１０６は、ＡとＢのプロフィールの共通部分「野球観戦が趣味」（識別子：Ｘ−１−１）の階層「３」を出力する（ステップＳ１１５）。
【００２９】
６．変換部１０６では、Ａのプロフィールのうち、共通部分より１段下までを残し、後の５層目以下を削除して出力する。その結果、「野球観戦が趣味でタイガースのファン」が表示される（ステップＳ１１６）。
【００３０】
一方、図では示していないが、Ａのプロフィール処理装置２００では、Ｂのプロフィール「野球観戦が趣味でロッテのファン」が出力される。
【００３１】
両者の開示レベルが共通化されるとともに、共通の趣味「野球観戦が趣味」という話題、および異なる部分「タイガースファン／ロッテファン」という話題で、プロフィール交換後の親交が深まるといった効果が期待できる。
【００３２】
次に、図６では、Ｂからは暗号化したプロフィール（識別子Ｘ−１−１−２）を、Ｃからは暗号化したプロフィール（識別子Ｘ−１−２−１−１）が送信される。図７では、この交換を行う際のＢのプロフィール処理装置１００の動作を説明している。
【００３３】
１．暗号部１０２はプロフィール保存部１０１に保存されているＢのプロフィールを暗号化する（ステップＳ１２１）。
【００３４】
２．送信部１０３は、上記暗号化されたＢのプロフィールをプロフィール処理装置４００に送信する（ステップＳ１２２）。
【００３５】
３．受信部１０４は、プロフィール処理装置４００から暗号化されたＣのプロフィールを受信する（ステップＳ１２３）。
【００３６】
４．復号部１０５は、受信したＣのプロフィールを復号する（ステップＳ１２４）。
【００３７】
５．比較部１０６は、ＣとＢのプロフィールの共通部分「スポーツ観戦が趣味」（識別子：Ｘ−１）の階層「２」を出力する（ステップＳ１２５）。
【００３８】
６．変換部１０６では、Ａのプロフィールのうち、共通部分より１段下までを残し、後の４層目以下を削除して出力する。その結果、「サッカー観戦が趣味」が表示される（ステップＳ１２６）。
【００３９】
一方、Ｃのプロフィール処理装置４００では、Ｂのプロフィール「野球観戦が趣味」が出力される。
【００４０】
両者の開示レベルが合わせられるとともに、共通の趣味「スポーツ観戦が趣味」という話題、および異なる部分「野球観戦／サッカー観戦」という話題で、プロフィール交換後の親交が深まるといった効果が期待できる。また、Ｂにとってそれほど興味がないと考えられる、Ａがガンバの宮本選手のファンといった情報は開示しない。
【００４１】
（その他の変形例）
（１）本発明の実施の形態では、プロフィールの例として趣味の場合で説明しているが、本発明はこれに限定されるものではない。例えば、住所の場合も、同様に都道府県／市／町／番地などのように階層化することで、開示レベルをあわせ、かつ必要以上の情報は開示しない。
【００４２】
（２）本発明の実施の形態では、プロフィールの変換部１０７のルールとして、共通部分より１段だけ下の階層までを残し、後は削除する場合を説明しているが、本発明はこれに限定されるものではない。例えば、共通の部分のみを残し、あとは削除するとしても良いし、２段下までを残すといったルールであってもよい。また、共通部分を考慮するのではなく、単純に２つのプロフィール開示レベルのみを合わせるといったルールであってもよい。このルールは、最初から装置に埋め込み出会っても良いし、別途設定しても、プロフィール交換前に、両者で決めても良い。
【００４３】
（３）本発明の実施の形態では、プロフィールを階層で設定する場合で説明しているが、本発明はこれに限定されるものではない。プロフィールは自由に設定し、変換部１０７では、開示レベルを合わせて、第２のプロフィールを意味的に「あいまい」にするといった処理をする。ここでの「あいまい」という意味は、例えば年齢２５歳といったプロフィールを、年齢２０代といった表現に変換することを示す。
【００４４】
（４）本発明の実施の形態では、まず、プロフィールは暗号化して交換するとしているが、端末間が別途安全な通信路で接続されている場合は、暗号化する必要はない。本発明の本質は、装置の中で相手のプロフィールを自身が送信した開示レベルに合わせて変換するといった部分にある。また、受信した暗号化プロフィールデータを全部復号するのではなく、比較結果に基づいて、開示していい部分だけを復号してもよい。
【００４５】
（５）本発明の実施の形態では、両者のプロフィールの開示レベルを完全に一致して変換する場合を説明しているが、ある程度の差を許容するように設定しておいてもよい。また、最初から装置に上下の関係があるように設定しておいてもよい。また、最初に、階層の識別子だけを交換しあって、開示レベルを決定し、そのレベルに見合ったプロフィールを送りあってもよい。
【００４６】
（６）本発明の実施の形態では、２者間のプロフィール交換で説明しているが、２者以上の複数人に拡張することができる。例えば相手が３人いる場合、３人のプロフィールを受信し、これらと自分のプロフィールの開示レベルを比較し、共通の部分を抽出し、３人のプロフィールをそれぞれ同様に変換して表示あるいは記録する。
【００４７】
（７）本発明の実施の形態では、プロフィールを交換する場合で説明しているが、プロフィールに限らず、一般の情報であってもよい。情報の価値をそろえて公平に情報交換することができる。
【００４８】
（８）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【００４９】
（９）上記の各装置を構成する構成要素の一手段または全手段は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成手段を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【００５０】
（１０）上記の各装置を構成する構成要素の一手段または全手段は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【００５１】
（１１）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【００５２】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。
【００５３】
また、本発明は、前記コンピュータプログラムまたは前記デジタル信号を、電気通信回線、無線または有線通信回線、インターネットを代表とするネットワーク、データ放送等を経由して伝送するものとしてもよい。
【００５４】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【００５５】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【００５６】
（１２）上記実施の形態及び上記変形例をそれぞれ組み合わせるとしてもよい。
【産業上の利用可能性】
【００５７】
本発明にかかるプロフィール処理装置は、ユーザ間で直接名刺交換する際やネットを介して自己紹介する際に、不公平感のないプロフィール交換が可能である。また、プロフィールに限らず同等レベルの情報を公平に交換する場合にも有効である。
【図面の簡単な説明】
【００５８】
【図１】本発明の実施の形態１におけるプロフィール処理システムの図
【図２】本発明の実施の形態１におけるプロフィール処理装置の構成図
【図３】本発明のプロフィールの設定を階層構造で実現した例を示す図
【図４】ＡとＢの間のプロフィール交換の例を示す図
【図５】ＡとＢの間のプロフィール交換時の、Ｂのプロフィール処理装置の動作説明を示す図
【図６】ＣとＢの間のプロフィール交換の例を示す図
【図７】ＣとＢの間のプロフィール交換時の、Ｂのプロフィール処理装置の動作説明を示す図
【符号の説明】
【００５９】
１００，２００，４００    プロフィール処理装置
３００    通信路
１０１    プロフィール保存部
１０２    暗号部
１０３    送信部
１０４    受信部
１０５    復号部
１０６    比較部
１０７    変換部
【図１】
2007293747.tif 000003
【図２】
2007293747.tif 000004
【図３】
2007293747.tif 000005
【図４】
2007293747.tif 000006
【図５】
2007293747.tif 000007
【図６】
2007293747.tif 000008
【図７】
2007293747.tif 000009